(57)【要約】【課題】本発明の目的は、既設のアンテナ鉄塔を一部改修するだけで既設のアナログ通信・放送用のアンテナに加えて新規にデジタル通信・放送用のアンテナを増設できる既設アンテナ鉄塔へのアンテナ増設方法やアンテナ鉄塔を提供するものである。【解決手段】鉄塔と該鉄塔の塔頂部に設けらたアンテナ柱に支持されてなる既設アンテナとを有する既設のアンテナ鉄塔へ増設用アンテナを設置する方法において、増設用アンテナの設置に必要な鉄塔上部を枠体で覆い、この枠体に既設アンテナを支持固定するアンテナ柱を支持固定後、枠体で覆われた鉄塔上部を撤去し、撤去後のスペースに増設用アンテナを設置するための増設用アンテナ柱をその上部を既設のアンテナ柱の下部に接続した状態で設置し、枠体を撤去し、増設用アンテナ柱に増設用アンテナを設置することを特徴とする。【選択図】  図２
2004332347.tif 000002
【特許請求の範囲】
【請求項１】
鉄塔と該鉄塔の塔頂部に設けられたアンテナ柱に支持されてなる既設アンテナとを有する既設のアンテナ鉄塔へ増設用アンテナを設置する既設アンテナ鉄塔へのアンテナ増設方法において、少なくとも増設用アンテナの設置に必要な区間を含む前記鉄塔上部に枠体を設置しかつ該枠体に既設アンテナが支持されてなる前記アンテナ柱を支持固定する工程、前記枠体を設置した前記鉄塔上部を撤去する工程、撤去された前記鉄塔上部に増設用アンテナを設置するための増設用アンテナ柱を設置し該増設用アンテナ柱の上部を前記既設アンテナを支持しているアンテナ柱の下部に接続する工程、とを順次実施し、しかる後前記枠体を撤去する工程と前記増設用アンテナ柱に増設用アンテナを設置する工程のいずれかの工程を先に、いずれかの工程をその後に行うことを特徴とする既設アンテナ鉄塔へのアンテナ増設方法。
【請求項２】
前記請求項１記載の既設アンテナ鉄塔へのアンテナ増設方法で形成されてなることを特徴とするアンテナ鉄塔。
【請求項３】
前記請求項１記載の既設アンテナ鉄塔へのアンテナ増設方法により形成されたアンテナ鉄塔から不要になった前記鉄塔の塔頂部に設けられている既設のアンテナをアンテナ柱を残して撤去し、このアンテナ柱に増設用アンテナをさらに設置することを特徴とする既設アンテナ鉄塔へのアンテナ増設方法。
【請求項４】
前記請求項３記載の既設アンテナ鉄塔へのアンテナ増設方法で形成されてなることを特徴とするアンテナ鉄塔。
【請求項５】
鉄塔と該鉄塔の塔頂部に設けられたアンテナ柱に支持されてなる既設アンテナとを有する既設のアンテナ鉄塔へ増設用アンテナを設置する既設アンテナ鉄塔へのアンテナ増設方法であって、少なくとも増設用アンテナの設置に必要な区間を含む前記鉄塔上部に枠体を設置しかつ該枠体に既設アンテナが支持されてなる前記アンテナ柱を支持固定する工程、前記枠体を設置した前記鉄塔上部を撤去する工程、撤去された鉄塔上部に増設用アンテナを設置するための増設用アンテナ柱を設置し該増設用アンテナ柱の上部を前記既設アンテナを支持しているアンテナ柱の下部に接続する工程、とを順次実施し、しかる後前記枠体を撤去する工程と前記増設用アンテナ柱に増設用アンテナを設置する工程のいずれかの工程を先に、いずれかの工程をその後に行う既設アンテナ鉄塔へのアンテナ増設方法において、前記増設用アンテナ柱は増設用アンテナを設置する位置の下方に余長を有していて、不要になった前記既設アンテナをこれを支持しているアンテナ柱毎撤去した後前記増設用アンテナ柱を増設用アンテナ毎上方に押し上げ固定することを特徴とする既設アンテナ鉄塔へのアンテナ増設方法。
【請求項６】
前記請求項５記載の既設アンテナ鉄塔へのアンテナ増設方法で形成してなることを特徴とするアンテナ鉄塔。
【請求項７】
前記請求項６記載のアンテナ鉄塔の増設用アンテナの下方の空きスペースにさらに増設用アンテナが設置されてなることを特徴とするアンテナ鉄塔。
【発明の詳細な説明】
【０００１】
【発明の属する技術分野】
本発明は、その塔頂部に既にアンテナが設置されている既設アンテナ鉄塔に、この既設のアンテナを使用しつつ、新たに別のアンテナを増設する方法及びこの方法で形成されるアンテナ鉄塔に関するものである。
【０００２】
【従来の技術】
昨今、放送や通信のデジタル化が急速に進行中で、特に最近ではテレビのデジタル放送が開始される状況にある。
そしてテレビに限って言えば、一挙にアナログ放送からデジタル放送へと切り替えられないため、数年間はアナログ放送とデジタル放送が併用され、その後デジタル放送に全面的に切り替えられることになっている。
このように現状では、従来からのアナログ通信・放送と将来に向けてのデジタル通信・放送とが併用される状況下にある。
【０００３】
この状況に対応するための一つの方法は、従来のアナログ通信・放送用のアンテナ鉄塔はそのままにして、別の場所に新規にデジタル通信・放送用のアンテナ鉄塔を設置する方法である。
しかしながらこの方法の場合、例えば新規に設けるデジタル通信・放送用のアンテナ鉄塔が既設のアナログ通信・放送用のアンテナ鉄塔と設置場所が接近している場合には、両者間で反射や遮蔽による電波障害が発生する場合がある。また、アンテナ鉄塔は広範囲の利用を可能にすべくかなりの高さが必要になるが、そのような鉄塔はかなり大きなものになるため設置場所の確保が困難である。
【０００４】
そこで別の方法として、既設のアナログ通信・放送用のアンテナ鉄塔の設置場所に、既設のアナログ通信・放送用のアンテナとデジタル通信・放送用のアンテナを併置できる新しいアンテナ鉄塔を、アナログ通信・放送を中断することなく建設する方法が提案されている（特許文献１）。
この方法は、既設のアナログ通信・放送用のアンテナ鉄塔を覆うように新たにアンテナ鉄塔を構築し、徐々にその高さを延ばしていって、その高さが既設のアナログ通信・放送用のアンテナ設置高さまで至ったら新しいアンテナ鉄塔に既設のアナログ通信・放送用のアンテナを移し変える、という方法である。このように既設のアナログ通信・放送用のアンテナを移設したら、さらに鉄塔上部に新規にデジタル通信・放送用のアンテナを設置する、というものである。
【０００５】
特許文献１：特開２００１−１７７３１８号公報
【０００６】
【発明が解決しようとする課題】
前記特許文献１記載の方法によれば、新規に建設中のアンテナ鉄塔の高さを既設のアナログ通信・放送用のアンテナの設置高さにした上で、既設のアナログ通信・放送用のアンテナを新しく建設したアンテナ鉄塔へと移設するため、既設のアナログ通信・放送用のアンテナを短時間で移設できるため、アナログ通信・放送をほとんど中断することなく移設できるし、設置場所も既設のアンテナ鉄塔の設置場所の外側に少々のスペースさえあれば良いので、新たに設置場所を確保する手間も不要である、という利点がある。
【０００７】
しかしながらこの方法の場合、既設のアナログ通信・放送用のアンテナを短時間で移設できるとは言っても移設工事そのものは必要であり、また設置場所を新たに確保する必要はないものの、アンテナ鉄塔そのものは新たに建設する必要がある。そのためアンテナ移設費用や鉄塔建設費用が大きく、また工事に時間もかかる、という問題もあった。
【０００８】
そこで本発明の目的は、既設のアンテナを移設したり、新規にアンテナ鉄塔を建設する必要もなく、既設のアンテナ鉄塔を一部改修するだけで既設のアンテナ、例えばアナログ通信・放送用のアンテナに加えて新規のアンテナ、例えばデジタル通信・放送用のアンテナを併設（増設）できる既設アンテナ鉄塔へのアンテナ増設方法及びこの方法により形成できるアンテナ鉄塔を提供するものである。
【０００９】
【課題を解決するための手段】
前記目的を達成すべく請求項１記載の本発明は、鉄塔と該鉄塔の塔頂部に設けられたアンテナ柱に支持されてなる既設アンテナとを有する既設のアンテナ鉄塔へ増設用アンテナを設置する既設アンテナ鉄塔へのアンテナ増設方法において、少なくとも増設用アンテナの設置に必要な区間を含む前記鉄塔上部に枠体を設置しかつ該枠体に既設アンテナが支持されてなる前記アンテナ柱を支持固定する工程、前記枠体を設置した前記鉄塔上部を撤去する工程、撤去された前記鉄塔上部に増設用アンテナを設置するための増設用アンテナ柱を設置し該増設用アンテナ柱の上部を前記既設アンテナを支持しているアンテナ柱の下部に接続する工程、とを順次実施し、しかる後前記枠体を撤去する工程と前記増設用アンテナ柱に増設用アンテナを設置する工程のいずれかの工程を先に、いずれかの工程をその後に行うことを特徴とする。
【００１０】
このようにしてなる本発明の請求項１記載の既設アンテナ鉄塔へのアンテナ増設方法によれば、最小限、増設用アンテナの設置に必要な区間を含む鉄塔上部近傍のみ撤去、改修し、この部分に増設用アンテナ、例えばデジタル通信・放送用のアンテナを増設できるので、既設の鉄塔は大部分そのまま活かすことができる。よって工事費用を大幅に安くでき、かつ工事時間を大幅に短縮できる。
また既設のアンテナ、具体的にはアナログ通信・放送用のアンテナは、これを支持しているアンテナ柱が、アンテナ鉄塔の上部が撤去され、増設用アンテナ柱が設置されるまでは鉄塔上部を覆う枠体に支持固定され、枠体撤去後は増設用アンテナ柱の上部に接続され支持固定されるため、いわゆる別の場所に移設する、という作業を必要としない。そのため増設用アンテナの増設工事に伴なって既設のアンテナを停波する必要がない。
【００１１】
また請求項２記載の本発明は、前記請求項１記載の既設アンテナ鉄塔へのアンテナ増設方法で形成されてなるアンテナ鉄塔であって、このようなアンテナ鉄塔によれば、増設用アンテナの増設工事が簡単で、かつ安価で、しかも既設アンテナによる通信・放送を中断することなく増設工事ができるという優れた効果を得ることができる。
【００１２】
さらに請求項３記載の本発明は、前記請求項１記載の既設アンテナ鉄塔へのアンテナ増設方法により形成されたアンテナ鉄塔から不要になった前記鉄塔の塔頂部に設けられている既設のアンテナをアンテナ柱を残して撤去し、このアンテナ柱に増設用アンテナをさらに設置することを特徴とするものである。
この方法によれば、将来既設のアンテナ、例えばアナログ通信・放送からデジタル通信・放送に全面切り替えがなされ、既設のアナログ通信・放送用のアンテナが不要になった場合には、鉄塔の塔頂部のアンテナ柱から既設のアナログ通信・放送用のアンテナを撤去し、残ったアンテナ柱に必要なら容易に増設用のデジタル通信・放送用のアンテナをさらに増設できる。
すなわち、デジタル通信・放送を中断することなくさらにデジタル通信・放送用のアンテナを容易に、かつ安い費用で増設できる。
【００１３】
さらにまた本発明の請求項４記載の発明は、前記請求項３記載の既設アンテナ鉄塔へのアンテナ増設方法で形成されてなるアンテナ鉄塔であって、このようなアンテナ鉄塔によれば、増設用アンテナのさらなる増設工事が簡単で、かつ安価で、しかも既設アンテナによる通信・放送を中断することなく増設工事ができる利点を有している。
【００１４】
また本発明の請求項５記載の発明は、鉄塔と該鉄塔の塔頂部に設けられたアンテナ柱に支持されてなる既設アンテナとを有する既設のアンテナ鉄塔へ増設用アンテナを設置する既設アンテナ鉄塔へのアンテナ増設方法であって、少なくとも増設用アンテナの設置に必要な区間を含む前記鉄塔上部に枠体を設置しかつ該枠体に既設アンテナが支持されてなる前記アンテナ柱を支持固定する工程、前記枠体を設置した前記鉄塔上部を撤去する工程、撤去された鉄塔上部に増設用アンテナを設置するための増設用アンテナ柱を設置し該増設用アンテナ柱の上部を前記既設アンテナを支持しているアンテナ柱の下部に接続する工程、とを順次実施し、しかる後前記枠体を撤去する工程と前記増設用アンテナ柱に増設用アンテナを設置する工程のいずれかの工程を先に、いずれかの工程をその後に行う既設アンテナ鉄塔へのアンテナ増設方法において、前記増設用アンテナ柱は増設用アンテナを設置する位置の下方に余長を有していて、不要になった前記既設アンテナをこれを支持しているアンテナ柱毎撤去した後前記増設用アンテナ柱を増設用アンテナ毎上方に押し上げ固定することを特徴とするものである。
【００１５】
このようにしてなる請求項５記載の発明によれば、増設用アンテナ柱には増設用アンテナを設置する位置の下方に予め余長を持たせてあるので、将来全面的にデジタル通信・放送化され、その結果既設アンテナ（アナログ通信・放送用のアンテナ）が不要になった場合、不要になった既設アンテナをこれを支持しているアンテナ柱毎撤去した後、前記余長を有する増設用アンテナ柱を、これに取り付けられている増設用アンテナ、すなわちデジタル通信・放送用のアンテナ毎上方に押し上げ、これを固定することができる。
より具体的には、例えば増設用アンテナ柱に少なくとも既設アンテナ用のアンテナ柱の長さに相当する余長を持たせておけば、将来デジタル通信・放送用のアンテナを既設のアナログ通信・放送用のアンテナ設置高さに設置したい、という要求が起こった場合には、容易にデジタル通信・放送用のアンテナを所定高さまでまで持ち上げ、設置することができる。
【００１６】
加えて本発明の請求項６記載の発明は、前記請求項５記載の既設アンテナ鉄塔へのアンテナ増設方法で形成してなるアンテナ鉄塔であるから、増設されたデジタル通信・放送用のアンテナを将来より高い位置に設置したい場合、容易に、かつ多額の工事費を必要とすることなく、設置工事を行うことができる。
【００１７】
さらにまた本発明の請求項７記載の発明は、前記請求項６記載のアンテナ鉄塔の増設用アンテナの下方の空きスペースにさらに増設用アンテナが設置されてなることを特徴とするものである。それ故、アンテナ鉄塔をより有効に活用することができ好ましい。
【００１８】
【発明の実施の形態】
以下に図面を用いて本発明の既設アンテナ鉄塔へのアンテナ増設方法及びこのアンテナ増設方法で得られる本発明のアンテナ鉄塔を詳細に説明する。
尚、以下においては既設アンテナをアナログ通信・放送用のアンテナとして、また増設用アンテナをデジタル通信・放送用のアンテナとして説明するが、本発明はこれに限定されるものではなく、例えば既設のアナログ通信・放送用アンテナに、アナログ通信・放送用のアンテナを増設する場合、あるいはまた既設のデジタル通信・放送用アンテナにデジタル通信・放送用アンテナを増設する場合等にも適用できることは言うまでもない。
【００１９】
図１は本発明の対象となる現状の既設のアンテナ鉄塔で、このアンテナ鉄塔は、主として鉄塔１とこの鉄塔１の塔頂部に設けられたアナログ通信・放送用の複数のアンテナからなるアンテナ群２（以下単にアンテナ２と称す）とから構成されている。
尚、図１で符号３は通称ドンツキと呼ばれているものである。このドンツキ３は鉄塔１の上部に設けられ、アンテナ２を支持固定するアンテナ柱４の下端を固定している部分のことをいう。因みに図１では、アンテナ柱４はその下端に接続されているポール５を介してドンツキ３に固定されている。
また符合６は鉄塔１の先端で通称天端と呼ばれているものを示している。
【００２０】
いま図１に示す既設のアンテナ鉄塔のアンテナ２の下部、すなわち鉄塔１の上部に後述する図６に示すデジタル通信・放送用の複数のアンテナからなるアンテナ群８（以下単にアンテナ８と称す）を、前記アンテナ２をそのままにした状態で増設する場合の増設方法を説明する。
【００２１】
図２〜図６は本発明の第１の実施例を示している。
図２において、少なくとも鉄塔１の上部であって増設するアンテナ８（図２では図示されていない）の増設位置（高さ方向）を覆うように枠体１０を設置する。図２で枠体１０の先端部の平面図をＸ−Ｘ’線の右側に、そして枠体１０と鉄塔１のＹ−Ｙ’線での横断面図をＹ−Ｙ’線のすぐ右脇に、また鉄塔１の枠組のＺ−Ｚ’線での横断面図をＺ−Ｚ’線の左側に示している。これら平面図及び横断面図において、細線は鉄塔１の枠組を、二重線は枠体１０の枠組を示している。
枠体１０の設置に際しては、鉄塔１と枠体１０とをしっかり固定し、枠体１０が鉄塔１から崩れ落ちないようにする。
このときアンテナ２を支持固定しているアンテナ柱４の下端も枠体１０に確実に固定する。
【００２２】
図２のように枠体１０を鉄塔１の上部に構築したら、図３に示すように枠体１０内にあってアンテナ８を設置する設置位置（図２及び図３にあって枠体１０の上部３つの枠組内に相当する部分）に相当する鉄塔１のポール５も含む枠組を撤去する。
【００２３】
次に図４に示すようにアンテナ８を増設するための増設用アンテナ柱７を鉄塔１のおおよそ中心位置に立設する。尚、増設用アンテナ柱７の先端は前述したアンテナ２を支持固定しているアンテナ柱４の下端に接続される。またこの増設用アンテナ柱７の長さは図４が示すように、将来アンテナ２が不要になったとき、アンテナ２をアンテナ柱４と共に撤去し、アンテナ８をアンテナ２の既設高さあるいはそれ以上の所望高さに押し上げることができるように、アンテナ８の設置に必要な長さの約３倍の長さにしておいた。
また図４でＡ−Ａ’線の右側の図は鉄塔１の新しい先端、すなわち天端６の平面図を示し、Ｂ−Ｂ’線の右側の図は増設用アンテナ柱７を鉄塔１に固定するドンツキ３の部分の横断面図を示している。
【００２４】
図４に示すように増設用アンテナ柱７を設置したら、図５のように枠体１０を撤去し、しかる後図６に示すように鉄塔１の天端６の上方に位置する増設用アンテナ柱７にアンテナ８を設置する。
ここでもし、枠体１０をアンテナ８を設置する際の足場に使うなら、枠体１０を残した状態でアンテナ８の設置を行ってもよい。枠体１０の撤去作業とアンテナ８の設置作業はどちらを先に行ってもよい。
このようにしてなる本発明の第１の実施例によれば、既設のアンテナ２に手を加えることなく、単に既設の鉄塔１の上部のみ改修するだけでアンテナ８を増設することができる。それ故、新たに鉄塔を布設する場所を確保する必要もないし、新たに別の場所にアンテナ８を設置する場合のアンテナ２とアンテナ８の相互の電波障害の問題等最初から考える必要もない。また既設の鉄塔の一部を改修するだけでアンテナ８を増設できるので工事も簡単で、かつ短時間ででき、それ故に工事費用も安価にできる。
【００２５】
本発明の第２の実施例としては、将来、アンテナ２が不要になって、アンテナ８をさらに増設したい場合には、図６における鉄塔１の塔頂部のアンテナ２をアンテナ柱４を残したまま撤去し、このアンテナ柱４にさらに増設するアンテナ８を設置することもできる。
それ故、アンテナ８のさらなる増設に伴ない新たにアンテナ鉄塔の設置場所を探す必要もないし、既設の鉄塔を利用するため工事も簡単で、かつ安い工事費用で工事が行える。
【００２６】
図７は、上述とは異なり、将来アンテナ２が不要になった場合に、これを撤去し、アンテナ８をより高い位置に設置する場合の本発明の方法（本発明の第３の実施例）を示すものである。
この場合、まず図７のように不要になったアンテナ２をこれを支持固定するアンテナ柱４と共に撤去し、次に図７の矢印方向にアンテナ８を設置した状態のままアンテナ８を支持固定している増設用アンテナ柱７を持ち上げて、その下端部をドンツキ３に固定する。この状態を図８に示す。
【００２７】
この方法によれば、前述した第１の実施例において、将来アンテナ２が不要になって、かつアンテナ８をより高い位置に設置する必要が生じた場合、予め充分な余長を持たせておいた増設用アンテナ柱７を所望高さまで押し上げるだけで、アンテナ８をより高い位置に設置することができる。
よってアンテナ８をより高い位置に設置する工事を簡単に、かつ短時間で行えるので、工事費用も安くできる。
【００２８】
ところで図９〜図１１は本発明の他の実施例を示すもので、具体的には増設用アンテナ柱７として種々の断面構造の柱が使用できる例を示している。各図の増設用アンテナ柱７の右側に各増設用アンテナ柱７の横断面図を示している。
図９では増設用アンテナ柱７として鋼製のパイプを、図１０では角型鋼材を、そして図１１ではアングルトラスを使用した例を各々示している。いずれのものを使用するかは設置されているアンテナ２の重量、構造あるいはこれから増設されるアンテナ８の重量や構造、そしてこのアンテナ鉄塔が布設されている場所の気象条件等を考慮して適宜選択される。
【００２９】
図１２は本発明のさらに別の実施例を示すもので、図８のようにアンテナ８を所望高さに持ち上げた後、このアンテナ８の下方の生じた空きスペースに、さらにアンテナ８の増設要求があった場合、アンテナ８を増設する例を示している。
このように本発明によれば将来のアンテナ８のさらなる増設も極めて容易に行える。それ故、この増設工事も簡単で、かつ短時間に行えるので工事も安価に行え、アンテナ鉄塔の有効活用も図ることができる。
【００３０】
以上述べたように本発明の各既設アンテナ鉄塔へのアンテナ増設方法及びこの方法により形成したアンテナ鉄塔によれば、既設のアンテナ鉄塔へ、新規に例えばデジタル通信・放送用のアンテナを増設するような場合、既設の例えば、アナログ通信・放送用のアンテナにほとんど手を加えることなく、すなわち停波を生ずること等もなく、デジタル通信・放送用のアンテナの増設を容易に行える、しかも既設のアンテナ鉄塔を利用するため、新たに別の設置場所を探す必要もないし、それ故別の場所に新たにアンテナ鉄塔を建設した場合の既設のアンテナとの電波障害の問題も最初から考える必要もない。
また既設のアンテナ鉄塔を利用しているが故に、工事も簡単でかつ短時間で行える。それ故工事費も新規にアンテナ鉄塔を建設する場合に比して大幅に削減できる。
また前記各方法により得られる本発明のアンテナ鉄塔によれば、増設用アンテナの設置工事を簡単に行え、かつ安い費用で行える利点がある。
【００３１】
【発明の効果】
前述したように本発明の各既設アンテナ鉄塔へのアンテナ増設方法によれば、最小限、増設用アンテナの設置に必要な区間を含む鉄塔上部近傍のみ撤去、改修し、この部分に増設用アンテナ、例えばデジタル通信・放送用のアンテナを増設できるので、既存の鉄塔は大部分そのまま活かすことができる。よって工事費用を大幅に少なくできる。
また既設のアンテナは、これを支持しているアンテナ柱がアンテナ鉄塔の上部が撤去され、増設用アンテナ柱が設置されるまでは鉄塔上部を覆う枠体に支持固定され、枠体撤去後は増設用アンテナ柱の上部に接続され支持固定されるため、いわゆる別の場所に移設する、という作業を必要としない。そのため増設用アンテナの増設工事に伴なって既設のアンテナを停波する必要が全くない。そしてまた本発明によれば、このような優れた効果を有するアンテナ鉄塔を提供できる。
【００３２】
また本発明によれば、将来既設のアンテナ、例えばアナログ通信・放送からデジタル通信・放送に全面切り替えがなされ、既設アンテナが不要になった場合には、鉄塔の塔頂部のアンテナ柱から既設のアナログ通信・放送用のアンテナを撤去し、残ったアンテナ柱に容易に増設用のデジタル通信・放送用のアンテナを増設できる。すなわち、デジタル通信・放送を中断することなくさらにデジタル通信・放送用のアンテナを増設できる。またこのような優れた効果を有するアンテナ鉄塔を提供できる。
【００３３】
さらにまた本発明によれば、増設用アンテナ柱には増設用アンテナを設置する位置の下方に予め余長を持たせてあるので、例えば将来全面的にデジタル通信・放送化される等して、その結果既設アンテナ（例えばアナログ通信・放送用のアンテナ）が不要になった場合、不要になった既設のアンテナをこれを支持しているアンテナ柱毎撤去した後、前記余長を有する増設用アンテナ柱を、これに取り付けられている増設用アンテナ、例えばデジタル通信・放送用のアンテナ毎上方の所望位置まで押し上げ、これを固定することができる。
すなわち、増設したアンテナを容易に、かつ安価に所望位置まで持ち上げることができる。また所望高さに持ち上げた増設用のアンテナの下方に空きスペースができるので将来アンテナの増設がさらに必要になった折には、さらなる増設用アンテナの設置が極めて簡単に、かつ短時間で、しかも安価で行える利点もある。またこの方法で得られるアンテナ鉄塔によれば、この種の工事が簡単に行え、費用も安価にできるアンテナ鉄塔を提供できる。
【図面の簡単な説明】
【図１】本発明の対象となる現状のアンテナ鉄塔（増設用アンテナ布設前の状態）を示すアンテナ鉄塔の正面図である。
【図２】本発明の第１の実施例を示すもので、鉄塔上部に枠体を設置した状態を示すアンテナ鉄塔の正面図である。
【図３】本発明の第１の実施例を示すもので、鉄塔上部の枠組を撤去した状態を示すアンテナ鉄塔の正面図である。
【図４】本発明の第１の実施例を示すもので、鉄塔上部の枠組を撤去した後、増設用アンテナ柱を設置した状態を示すアンテナ鉄塔の正面図である。
【図５】本発明の第１の実施例を示すもので、鉄塔上部から枠体を撤去した状態を示すアンテナ鉄塔の正面図である。
【図６】本発明の第１の実施例を示すもので、鉄塔上部に増設用のアンテナを設置した状態を示すアンテナ鉄塔の正面図である。
【図７】本発明の第３の実施例を示すもので、図６においてアンテナ鉄塔の塔頂部上部にあったアナログ通信・放送用のアンテナをアンテナ柱毎撤去した状態を示すアンテナ鉄塔の正面図である。
【図８】本発明の第３の実施例を示すもので、残ったデジタル通信・放送用のアンテナを上方に持ち上げた状態を示すアンテナ鉄塔の正面図である。
【図９】本発明の他の実施例を示すアンテナ鉄塔の正面図である。
【図１０】本発明の他の実施例を示すアンテナ鉄塔の正面図である。
【図１１】本発明の他の実施例を示すアンテナ鉄塔の正面図である。
【図１２】本発明の他の実施例を示すもので、図８で持ち上げた増設用アンテナ柱の空きスペースにさらに増設用のアンテナを設置した状態を示すアンテナ鉄塔の正面図である。
【符号の説明】
１  鉄塔
２  アンテナ（アナログ通信・放送用のアンテナ）
３  ドンツキ
４  既設のアンテナ柱
５  ポール
６  天端
７  増設用アンテナ柱
８  アンテナ（デジタル通信・放送用のアンテナ）
１０  枠体
【図１】
2004332347.tif 000003
【図２】
2004332347.tif 000004
【図３】
2004332347.tif 000005
【図４】
2004332347.tif 000006
【図５】
2004332347.tif 000007
【図６】
2004332347.tif 000008
【図７】
2004332347.tif 000009
【図８】
2004332347.tif 000010
【図９】
2004332347.tif 000011
【図１０】
2004332347.tif 000012
【図１１】
2004332347.tif 000013
【図１２】
2004332347.tif 000014